(57)【特許請求の範囲】
【請求項１】
左右側面および背面に吸込口を設け、上面に排気ファンを備える吹出口を設け、内部には、前記各吸込口に対向するよう平面多角形に形成された上熱交換器と下熱交換器を上下２段縦積みで室外機底板上に設置し、且つ前記上熱交換機および前記下熱交換機をその両端に設けられた側板によって室外機底板に対して固定した空気調和機の室外機において、
前記上熱交換器と前記下熱交換器を、前記いずれか１つ以上の吸込口に対応する領域で、上下接続板により、前記室外機底板に固定してなり、
前記上下接続板は、コ字形状の板金製でなり、該コ字形状部分が前記上熱交換器と前記下熱交換器をまとめて挟むように前記上熱交換器の上から前記上熱交換器と前記下熱交換器のフィンの隙間に嵌め込まれ、下端が前記室外機底板に固定されていることを特徴とする空気調和機の室外機。
【請求項２】
左右側面および背面に吸込口を設け、上面に排気ファンを備える吹出口を設け、内部には、前記各吸込口に対向するよう平面多角形に形成された上熱交換器と下熱交換器を上下２段縦積みで室外機底板上に設置し、且つ前記上熱交換機および前記下熱交換機をその両端に設けられた側板によって室外機底板に対して固定した空気調和機の室外機において、
前記上熱交換器と前記下熱交換器を、前記いずれか１つ以上の吸込口に対応する領域で、上下接続板により、前記室外機底板に固定してなり、
前記上下接続板は、上端がＬ字形状に形成された２枚の板金製の接続板でなり、一方の接続板をそのＬ字形状の先端が前記上熱交換機の上側伝熱管に乗るように前記上下２段縦積みの上熱交換器と下熱交換器の内側から押し当て、他方の接続板をそのＬ字形状の先端が前記上熱交換機の上側伝熱管に乗るように前記上下２段縦積みの上熱交換器と下熱交換器の外側から押し当て、前記２枚の接続板の下端を前記室外機底板にそれぞれ固定したことを特徴とする空気調和機の室外機。
【発明の詳細な説明】
【技術分野】
【０００１】
本発明は、分離型の空気調和機の室外機に係り、特に複数箇所で折れ曲がった平面多角形状の熱交換機を上下２段縦積みに取り付けた空気調和機の室外機に関するものである。
【背景技術】
【０００２】
従来、分離型空気調和機の室外機には、本体の室外機底板の上に、コンプレッサ、熱交換器、ファンモータ、制御回路ユニット等が配設されており、特に熱交換容量を大きくする場合は、複数箇所で折れ曲がった平面多角形状（例えば、コ字形状）の熱交換機を上下２段縦積みに取り付けることが行われている。
【０００３】
図６は従来例の熱交換機の配置を示す図（例えば、特許文献１参照）であり、上熱交換機２１と下熱交換機２２は、その端部に取り付けられた側板２３，２４を連結金具２５で結合することで一体化され、下側の側板２４が連結金具で室外機底板（図示省略）に固定されている。
【特許文献１】実開平４−７０９２５号公報
【発明の開示】
【発明が解決しようとする課題】
【０００４】
ところが、上記のような上下２段縦積みの熱交換器をビル用等の大型用として製造した場合、側板２３，２４の部分でのみ上熱交換器２１と下熱交換器２２を室外機底板に対して保持する構成では、搬送時や設置時に、両熱交換器２１，２２の側板２３，２４から離れた部分で左右あるいは前後のズレが発生し、破損の恐れがある。
【０００５】
本発明の目的は、搬送や移動の際でも上下２段縦積みの熱交換器にズレが発生しないようにした空気調和機の室外機を提供することである。
【課題を解決するための手段】
【０００６】
上記目的を達成するために、請求項１にかかる発明の空気調和機の室外機は、左右側面および背面に吸込口を設け、上面に排気ファンを備える吹出口を設け、内部には、前記各吸込口に対向するよう平面多角形に形成された上熱交換器と下熱交換器を上下２段縦積みで室外機底板上に設置し、且つ前記上熱交換機および前記下熱交換機をその両端に設けられた側板によって室外機底板に対して固定した空気調和機の室外機において、前記上熱交換器と前記下熱交換器を、前記いずれか１つ以上の吸込口に対応する領域で、上下接続板により、前記室外機底板に固定してなり、前記上下接続板は、コ字形状の板金製でなり、該コ字形状部分が前記上熱交換器と前記下熱交換器をまとめて挟むように前記上熱交換器の上から前記上熱交換器と前記下熱交換器のフィンの隙間に嵌め込まれ、下端が前記室外機底板に固定されていることを特徴とする。
請求項２にかかる発明の空気調和機の室外機は、左右側面および背面に吸込口を設け、上面に排気ファンを備える吹出口を設け、内部には、前記各吸込口に対向するよう平面多角形に形成された上熱交換器と下熱交換器を上下２段縦積みで室外機底板上に設置し、且つ前記上熱交換機および前記下熱交換機をその両端に設けられた側板によって室外機底板に対して固定した空気調和機の室外機において、前記上熱交換器と前記下熱交換器を、前記いずれか１つ以上の吸込口に対応する領域で、上下接続板により、前記室外機底板に固定してなり、前記上下接続板は、上端がＬ字形状に形成された２枚の板金製の接続板でなり、一方の接続板をそのＬ字形状の先端が前記上熱交換機の上側伝熱管に乗るように前記上下２段縦積みの上熱交換器と下熱交換器の内側から押し当て、他方の接続板をそのＬ字形状の先端が前記上熱交換機の上側伝熱管に乗るように前記上下２段縦積みの上熱交換器と下熱交換器の外側から押し当て、前記２枚の接続板の下端を前記室外機底板にそれぞれ固定したことを特徴とする。
【発明の効果】
【０００７】
本発明によれば、上下２段縦積みの熱交換器の室外機吸込口に対応する領域部分が上下接続板によって室外機底板に固定されるので、搬送や移動の際でも、両熱交換器の側板から離れた部分で前後左右のズレが発生することが防止される。また、上下接続板は、コ字形状の板金あるいはコ字形状を２分割した板金で形成することができ、簡単な構造であるので、大きなコスト増を招く恐れもない。
【発明を実施するための最良の形態】
【０００８】
図１は室外機の外観を示す斜視図、図２は一部切り欠けの同斜視図である。図１，２において、１は制御回路ユニットやコンプレッサ等が配置される正面、２は左側吸込口、３は右側吸込口、４は背面吸込口、５は排気ファンを備えた上面吹出口である。
【０００９】
左側吸込口２、右側吸込口３、および背面吸込口４の内側には、図３に示すように、上面コ字形状の上熱交換器６と下熱交換機７が上下２段縦積みで配置されている。この両熱交換器６，７の左右の端部には、側板８，９がそれぞれ取り付けられ、この側板８，９は図６の符号２５で示したような連結板（図示省略）によって一体化されている。そして、下熱交換器７の側板９の下端が、室外機底板１０に別の連結板（図示省略）で固定されている。これにより、上熱交換器６と下熱交換機７は、その両端が、側板８，９によって室外機底板１０に対して固定された状態にある。
【００１０】
図３において、１１は本発明の実施例のコ字形状の上下接続板である。この上下接続板１１は、その内寸高さが、室外機底板１０から縦積みの上熱交換器６の最上の伝熱管６ａの上端までの寸法に合わされ、その内寸幅が、上熱交換器６と下熱交換機７の伝熱管の横幅寸法に合わされている。そして、下端には室外機底板１０への取付用の取付片１１ａ，１１ｂが形成されている。
【００１１】
本実施例では、この上下接続板１１を、縦積みの上熱交換器６と下熱交換機７における、背面吸込口４に対応する領域の例えば略中央において、図３に示すように、上から上熱交換器６と下熱交換機７を挟むように挿入し、取付片１１ａ，１１ｂを室外機底板１０にビス止めする。
【００１２】
これにより、上下接続板１１は、図４に示すように、上熱交換器６と下熱交換機７のフィンの隙間に挿入され、上熱交換器６の最も上側の伝熱管６ａを下方向に押し下げ、上熱交換器６と下熱交換機７を室外機底板１０に押し付けて保持する。よって、上熱交換器６と下熱交換機７の略中央部分の前後左右へのズレが防止される。なお、この上下接続板１１は１個に限られず、２個以上を用いて適宜配置して、上熱交換器６と下熱交換器７を固定してもよい。
【００１３】
図５において、１２は本発明の別の実施例の上下接続板を示す図である。ここでは、上下接続板１２を２個に分割して、上端１２ｃ，１２ｄがＬ字形状となった板金製の接続板１２Ａ，１２Ｂとする。なお、この接続板１２Ａ，１２Ｂの内側は伝熱管の配管形状に合わせてカットする。
【００１４】
そして、この接続板１２Ａ，１２Ｂを、縦積みの上熱交換器６と下熱交換機７における、背面吸込口４に対応する領域の例えば略中央において、Ｌ字形状の上端１２ｃ，１２ｄの先端が上熱交換機６の上側の伝熱管６ａに乗るように、前後からそれぞれ押し当てて、取付片１２ａ，１２ｂを室外機底板１０にビス止めする。
【００１５】
これにより、接続板１２Ａ，１２Ｂは、上熱交換器６と下熱交換機７のフィンの隙間に挿入され、上熱交換器６の上側の前後の冷媒管６ａを下方向に押し下げることにより、上熱交換器６と下熱交換機７を室外機底板１０に押し付けて保持する。よって、上熱交換器６と下熱交換機７の略中央部分の前後左右へのズレが防止される。なお、本実施例の上下接続板１２は、一方の接続板１２Ａと他方の接続板１２Ｂを必ずしも対向させて取り付ける必要はない。
【００１６】
なお、この上下接続板１２は、上熱交換器６と下熱交換器７における、室外機の背面吸込口４に対応する領域に限られず、背面吸込口４、左側吸込口２、右側吸込口３のいずれか１以上に対応する領域に取り付けても良い。
【図面の簡単な説明】
【００１７】
【図１】室外機の斜視図である。
【図２】室外機の一部切り欠きの斜視図である。図である。
【図３】本発明の実施例の上下接続板の取付説明図である。
【図４】同実施例の上下接続板により保持した上下２段縦積み熱交換機の斜視図である。
【図５】別の実施例の上下接続板の取付説明図である。
【図６】従来の熱交換機の保持の一部斜視図である。
【符号の説明】
【００１８】
１：正面、２：左側吸込口、３：右側吸込口、４：背面吸込口、５：上面吹出口、６：上熱交換機、６ａ：伝熱管、７：下熱交換機、８，９：側板、１０：室外機底板、１１：上下接続板、１１ａ，１１ｂ：取付片、１２：上下接続板、１２Ａ，１２Ｂ：接続板、１２ａ，１２ｂ：取付片、１２ｃ，１２ｄ：上端。
【図１】
0004858387.tif 000002
【図２】
0004858387.tif 000003
【図３】
0004858387.tif 000004
【図４】
0004858387.tif 000005
【図５】
0004858387.tif 000006
【図６】
0004858387.tif 000007